(57)【特許請求の範囲】
【請求項１】
周面に吸気口が開設された円筒形のハウジングと、前記吸気口に沿わせて取り付けられた固定刃と、先端部に切刃を保持する複数枚の羽根板を有し、前記吸気口からの吸気の作用により前記ハウジングの内部で回転する回転刃とを備える毛玉取り器において、
前記切刃は、前記羽根板の夫々の先端縁に設けた保持溝に差し込み、各羽根板の両側に設けた嵌合部に嵌合固定された止め輪により抜け止めしてあり、
前記止め輪は、前記嵌合部の外径よりも大きい内径を有する大径部と、該大径部に連続し前記嵌合部の外径よりも小さい内径を有する小径部とを前記羽根板と同数組備え、各組の大径部を各羽根板の嵌合部の夫々に嵌め合わせて一方向に回転させ、前記小径部を前記嵌合部に食い込ませて固定されている毛玉取り器。
【請求項２】
前記止め輪の固定時の回転方向は、前記回転刃の回転方向と逆向きである請求項１に記載の毛玉取り器。
【請求項３】
前記止め輪は、回転操作用の治具を係合させる係合部を備える請求項１又は請求項２に記載の毛玉取り器。
【発明の詳細な説明】
【技術分野】
【０００１】
本開示は、繊維製品の表面に生成された毛玉を切断、除去すべく用いられる毛玉取り器に関する。
【背景技術】
【０００２】
衣服、絨毯等の繊維製品においては、製造中又は使用中に加えられる摩擦の作用により表面の繊維が縒り固められて毛玉が生成され、見栄えを損なうという問題がある。特許文献１には、このような毛玉を切断、除去すべく用いられる毛玉取り器（回転切断装置）が開示されている。
【０００３】
この毛玉取り器は、円筒形のハウジングの内部で軸回りに回転する回転刃と、前記ハウジングの周面に開口する吸気口に沿わせて取り付けられた薄肉板状の固定刃とを備えている。回転刃は、回転周上に並ぶ複数枚の羽根板を有し、吸気口に吸い込まれる吸気の作用により回転する羽根車としてあり、夫々の羽根板の先端部に切刃が保持されている。固定刃には、夫々の周縁に刃部を備える複数の貫通孔（刃孔）が縦横に並設されている。
【０００４】
以上の構成を有する毛玉取り器は、毛玉が生成された繊維製品の表面にハウジングの吸気口を対向させて使用される。毛玉は、吸気口に吸い込まれる吸気の作用により刃孔を通して固定刃の内側に引き込まれ、回転刃の回転周上において各刃孔に摺接する切刃の作用により切断、除去される。
【先行技術文献】
【特許文献】
【０００５】
【特許文献１】特許第４３６９８９７号公報
【発明の概要】
【発明が解決しようとする課題】
【０００６】
特許文献１に記載された毛玉取り器において、切刃は、複数枚の羽根板夫々の先端縁に設けた保持溝に差し込み、各羽根板の両側に同一円周上に連続するように設けた嵌合部に嵌合固定された止め輪により抜け止めして保持されている。切刃は、夫々の保持溝の内部で変位することで固定刃の内面に隙間なく摺接し、毛玉を確実に切断することができる。また切刃は、損耗時に止め輪を外して交換することができる。
【０００７】
しかしながら、切刃を抜け止めする止め輪は、使用中に加わる振動、外力の作用により緩む虞があり、切刃の保持が損なわれることが懸念される。止め輪の緩みは、嵌合強さを高めることで緩和されるが、組み立て時の止め輪の取り付け、及び切刃の交換時の止め輪の取り外しが難しい。
【０００８】
本開示の目的は、回転刃における切刃の保持構造の改良により、切刃の確実な保持と交換の容易さとを両立させることである。
【課題を解決するための手段】
【０００９】
本開示に係る毛玉取り器は、周面に吸気口が開設された円筒形のハウジングと、前記吸気口に沿わせて取り付けられた固定刃と、先端部に切刃を保持する複数枚の羽根板を有し、前記吸気口からの吸気の作用により前記ハウジングの内部で回転する回転刃とを備える毛玉取り器において、前記切刃は、前記羽根板の夫々の先端縁に設けた保持溝に差し込み、各羽根板の両側に設けた嵌合部に嵌合固定された止め輪により抜け止めしてあり、前記止め輪は、前記嵌合部の外径よりも大きい内径を有する大径部と、該大径部に連続し前記嵌合部の外径よりも小さい内径を有する小径部とを前記羽根板と同数組備え、各組の大径部を各羽根板の嵌合部の夫々に嵌め合わせて一方向に回転させ、前記小径部を前記嵌合部に食い込ませて固定されている。
【００１０】
止め輪は、各羽根板に設けた嵌合部に大径部を嵌め合わせて一方向に回転させる。大径部の一側には、小径部が連続している。小径部の内径は嵌合部の外径よりも小さい。止め輪は、小径部を嵌合部に食い込ませた状態で固定され、振動、外力の作用によっても緩み難く、切刃は確実に保持される。止め輪は、他方向に回転させ、大径部を嵌合部に合わせた位置で容易に取り外すことができ、損耗した切刃の交換に対応し得る。
【００１１】
また、前記止め輪の固定時の回転方向は、前記回転刃の回転方向と逆向きである。
【００１２】
回転刃の回転開始時に止め輪に加わる慣性力は、固定時の回転方向と同向きとなり、この慣性力による止め輪の緩みを防止することができる。
【００１３】
更に、前記止め輪は、回転操作用の治具を係合させる係合部を備える。
【００１４】
止め輪は、係合部に係合させた治具を用いて回転操作することができ、取り付け及び取外しが容易となる。係合部は、止め輪の側面又は周面に設けた突起、切欠き又は孔であってよい。
【発明の効果】
【００１５】
本開示によれば、止め輪の着脱が容易であり、切刃を確実に保持することができ、また損耗した切刃の交換を容易に実施できる。
【図面の簡単な説明】
【００１６】
【図１】実施の形態に係る毛玉取り器の側断面図である。
【図２】回転刃の外観斜視図である。
【図３】固定刃及びホルダの外観斜視図である。
【図４】止め輪の平面図である。
【図５】止め輪の取り付け手順の説明図である。
【発明を実施するための形態】
【００１７】
以下、本開示の実施の形態を図面に基づき説明する。図１は、実施の形態に係る毛玉取り器の側断面図である。図示の如く毛玉取り器は、回転刃１と、該回転刃１を収容するハウジング２と、板状をなす固定刃３とを備えている。
【００１８】
回転刃１は、回転軸１０が嵌着されたボス部１１と、該ボス部１１から放射状に延びる複数枚（図においては６枚）の羽根板１２、１２…とを備え、回転軸１０を中心として回転する樹脂製の羽根車として構成されている。夫々の羽根板１２、１２…の先端部には、各１枚の切刃１３、１３…が保持され、また夫々の羽根板１２、１２…の間には、重錘板１４、１４…が取り付けてある。
【００１９】
図２は、回転刃１の外観斜視図である。本図に示す如く羽根板１２、１２…の夫々は、径方向外向きに延びる脚部１２ａと、夫々の脚部１２ａの先端に連続し、周方向の一側に向けて傾く傾斜部１２ｂとを備えている。夫々の傾斜部１２ｂには、切刃１３を保持するための保持溝１２ｃが設けられている。保持溝１２ｃは、傾斜部１２ｂの先端縁に全幅に亘って開口する細幅の溝である。また傾斜部１２ｂには、両側縁を適幅に切り欠き、各羽根板１２間で同一円周上に連続する嵌合部１２ｄ、１２ｄが形成されている。
【００２０】
図２には、１枚の切刃１３が示されている。切刃１３は、薄肉の金属板であり、羽根板１２の傾斜部１２ｂと略同幅の基部１３ａと、該基部１３ａに連続し、一側に屈曲された刃部１３ｂとを備えている。基部１３ａの両側には、鍔部１３ｃ、１３ｃが外向きに突設されている。
【００２１】
切刃１３は、図２中に矢符により示すように、羽根板１２の保持溝１２ｃに基部１３ａを差し込み、両側の嵌合部１２ｄ、１２ｄに各羽根板１２、１２…間に掛け渡すように止め輪４を嵌め合わせて保持されている。図１には、一側の嵌合部１２ｄに嵌め合わせた止め輪４が図示されている。このように保持された切刃１３は、夫々の保持溝１２ｃに沿って変位可能であり、止め輪４は、変位する切刃１３の保持溝１２ｃからの抜け出しを、鍔部１３ｃに当接することで規制する抜け止め機能を果たす。止め輪４の構成及び嵌め合わせ手順は後述する。
【００２２】
重錘板１４は、適宜の曲率にて湾曲する金属製の板である。図２に示すようにボス部１１の外側には、各羽根板１２、１２…間の幅方向中央部に固定座１５、１５…が設けられている。固定座１５は、ボス部１１の径方向と直交する座面を有している。重錘板１４は、湾曲方向を羽根板１２における傾斜部１２ｂの傾き方向と同向きとして夫々の固定座１５の座面に固定されている。
【００２３】
回転刃１を収容するハウジング２は、羽根板１２、１２…に夫々保持された切刃１３、１３…を含めて回転刃１の受容が可能な内径を有する円筒形の中空容器である。図１に示すようにハウジング２の周壁には、外気を吸気するための吸気口２０及び補助吸気口２１が周方向に隣り合わせて開設されている。またハウジング２には、吸気口２０及び補助吸気口２１から離れた位置に、例えば、掃除機の吸塵パイプ等の吸気源への接続のための接続管２２が一体に連設されている。
【００２４】
固定刃３は、ホルダ５に保持され、吸気口２０の開設位置を覆うようにハウジング２に取り付けられている。図３は、固定刃３及びホルダ５の外観斜視図である。固定刃３は、薄肉の矩形板状をなし、縦横に並ぶ多数の刃孔３０、３０…を略全面に亘って備え、刃孔３０、３０…の並設域の両側に夫々の側の端縁に沿って並ぶ係止孔３１、３１…を備えている。刃孔３０及び係止孔３１は、固定刃３を厚さ方向に貫通する貫通孔であり、刃孔３０は、周縁に刃部を備えている。
【００２５】
ホルダ５は、ハウジング２の外形に対応する曲率を有する一対の湾曲部の両端を直線状の連絡部で連絡して構成された矩形の枠体であり、一側の連絡部には、複数の掛け止め突起５０、５０…が並設されている。掛け止め突起５０、５０…の並設数及び並設間隔は、固定刃３の係止孔３１、３１…の並設数及び並設間隔に対応している。固定刃３は、一側の係止孔３１、３１…を掛け止め突起５０、５０…に掛け止め、図３に示すようにホルダ５に保持される。
【００２６】
ホルダ５は、図１に示す如く、吸気口２０の開設位置を覆うように固定される。ホルダ５に保持された固定刃３は、弾性に富む金属製であり、ホルダ５の固定により、ハウジング２の内面に突設された押えリブ２３に押されて湾曲し、図１に示すように、吸気口２０の内側に適長離れて対向し、回転刃１の羽根板１２、１２…に保持された切刃１３、１３…の回転周上に位置する。
【００２７】
以上の如く構成された毛玉取り器は、例えば、掃除機の吸塵パイプにハウジング２の接続管２２を接続し、掃除機の運転により、図１中に白抜矢符により示す如く、接続管２２中に吸気を生じさせる一方、ハウジング２に開設された吸気口２０を、毛玉が生成された繊維製品の表面に当てて使用される。
【００２８】
ハウジング２の内部は、周壁に開設された吸気口２０及び補助吸気口２１を介して外部に連通しており、前述した吸気が生じた場合、ハウジング２の内部には、図１中に矢符により示す如く、吸気口２０及び補助吸気口２１を経て外気が吸気される。この吸気は、ハウジング２の内部に支持された回転刃１の羽根板１２、１２…に当り、該回転刃１は、吸気の作用により回転する。回転刃１の回転方向は、図１中に矢符により示す如く、羽根板１２の傾き方向と逆向きである。
【００２９】
回転刃１に固定された重錘板１４は、回転刃１の回転慣性を高め、吸気の作用による回転を安定的に行わせる作用をなす。この重錘板１４は、羽根板１２の傾き方向と同向きに湾曲しており、吸気を受けて補助的な回転力を発生する機能も果たす。
【００３０】
吸気口２０の内側には、固定刃３が位置しており、吸気口２０に当てられた繊維製品の表面に生成された毛玉は、固定刃３の各刃孔３０、３０…からハウジング２の内部に引き込まれる。ハウジング２の内部では、回転刃１が回転しており、複数の羽根板１２、１２…の先端に取り付けた切刃１３、１３…が固定刃３の内面に順次摺接するから、各刃孔３０、３０…から引き込まれる毛玉は、刃孔３０、３０…と切刃１３との相乗作用により切断される。このように切断される毛玉は、吸気と共に接続管２２を経て吸塵パイプに吸込まれ、掃除機の集塵部に回収される。
【００３１】
切刃１３は、前述の如く夫々の保持溝１２ｃに沿って変位可能である。固定刃３は、回転刃１の回転方向上流側で掛け止め突起５０、５０…への掛け止めしてあり、ホルダ５と押えリブ２３との間で変位可能である。切刃１３と固定刃３とは、夫々の変位により良好に摺接し、摺接部での毛玉の切断を確実に行わせることができる。
【００３２】
図４は、止め輪４の平面図、図５は、止め輪４の取り付け手順の説明図である。止め輪４は、適宜の厚さを有する金属材料製のリングであり、大径部４０及び小径部４１を、回転刃１の羽根板１２と同数組（６組）備えている。大径部４０と小径部４１とは、内径が異なり、大径部４０の内径Ｄ0 は、止め輪４が嵌め合わされる回転刃１の嵌合部１２ｄの外径ｄ（図５参照）よりも大きく、小径部４１の内径Ｄ1 は、嵌合部１２ｄの外径ｄよりも小さい。
【００３３】
小径部４１は、同じ組の大径部４０の周方向一側に傾斜部を介して連続する。大径部４０の他側には、相隣する組の小径部４１が位置するが、これらの間は、止め輪４の内周面に内向きに突設されたストッパ片４２により仕切ってある。ストッパ片４２は、止め輪４の周方向に等配されており、夫々のストッパ片４２には、突出端部の中央を切り欠くことにより、回転操作用の治具を係合させるための係合部４３が形成されている。
【００３４】
以上の如く構成された止め輪４は、図５に示す如く、各組の大径部４０を周方向に位置合わせして羽根板１２の嵌合部１２ｄに嵌め合わせる。大径部４０の内径Ｄ0 は、嵌合部１２ｄの外径ｄよりも大きく、止め輪４は容易に嵌め合わせることができる。大径部４０の内径Ｄ0 は、嵌合部１２ｄの外径ｄよりも大きいという条件下で適宜に設定すればよく、更に、周方向に連続的又は段階的に変更してもよい。
【００３５】
この嵌め合わせの後、止め輪４は、図５中に白抜矢符に示す向きに回転操作され、大径部４０に連続する小径部４１が嵌合部１２ｄに嵌合する。小径部４１の内径Ｄ1 は、嵌合部１２ｄの外径ｄよりも小さく、止め輪４は、小径部４１を嵌合部１２ｄに食い込ませ、図１に示すように強固に固定される。従って止め輪４は、前述した使用中に加わる振動、外力の作用によっても緩み難く、切刃１３の保持状態を良好に維持することができる。
【００３６】
小径部４１の内径Ｄ1 と嵌合部１２ｄの外径ｄとの寸法差は、止め輪４及び回転刃１の材料の組み合わせに応じて適正に設定される。また小径部４１の内径Ｄ1 は、周方向に連続的又は段階的に変更してもよい。
【００３７】
止め輪４の回転操作は、ストッパ片４２に設けた係合部４３に係合可能な専用の治具を用いることにより容易に実施し得る。止め輪４は、図１に示す如く、羽根板１２にストッパ片４２が当たるまで回転操作することで確実に固定される。ストッパ片４２は、止め輪４の過剰な回転操作を防止する作用をなす。係合部４３は、図示のようにストッパ片４２に設けた切欠きに限らず、治具の係合が可能な突起又は孔であってもよく、止め輪４の適宜位置に設けることができる。
【００３８】
図５に示す止め輪４の回転操作の方向は、図１に示す回転刃１の回転方向と逆方向である。止め輪４には、回転刃１の回転開始時に固定時の回転操作の方向と同向きの慣性力が加わり、この慣性力による止め輪４の緩みを防止することができる。
【００３９】
止め輪４は、取り付け時と逆方向に回転操作し、羽根板１２の嵌合部１２ｄに大径部４０を合わせた位置で容易に取り外すことができる。前述した使用により損耗した切刃１３は、止め輪４を外した後に保持溝１２ｃから抜き出し、新しい切刃１３に交換することができる。
【００４０】
なお、今回開示された実施の形態は、すべての点で例示であって制限的なものではないと考えられるべきである。本発明の範囲は、上記した意味ではなく、特許請求の範囲によって示され、特許請求の範囲と均等な意味および範囲内でのすべての変更が含まれることが意図される。
【符号の説明】
【００４１】
１      回転刃
２      ハウジング
３      固定刃
４      止め輪
１２    羽根板
１２ｃ  保持溝
１２ｄ  嵌合部
１３    切刃
２０    吸気口
３０    刃孔
４０    大径部
４１    小径部
４３    係合部
【図１】
0006886198.tif 000002
【図２】
0006886198.tif 000003
【図３】
0006886198.tif 000004
【図４】
0006886198.tif 000005
【図５】
0006886198.tif 000006